(57)【要約】【課題】  ステータコアやコイルの損傷を防止することができるステータ保持装置を提供する。【解決手段】  ステータコア薄板を複数枚積層して形成されたステータコア１を持つステータの保持装置であり、ステータコア１の外周縁部が挿入保持されるステータコア１の外周面１０と対向する所定幅を持つ断面弧状の底面２４と底面２４より立ち上がりステータコア１のそれぞれの軸方向側面の周縁部と対向する２個の側壁面２５とで形成される孤状の保持溝２０をもつ少なくとも２個の弧状基部２と、１個の弧状基部２の周方向の一端と他の弧状基部２の他端とを少なくともそれぞれの保持溝２０が遠ざかる方向に開閉可能に接続しそれぞれの保持溝２０が周方向に並びステータコア１の外周縁部を保持する筒状の保持溝２０を形成する接続手段３と、接続された弧状基部２の両端部を開閉する開閉手段４と、を有する。【選択図】      図２
2005086951.tif 000002
【特許請求の範囲】
【請求項１】
ステータコア薄板を複数枚積層して形成されたステータコアを持つステータの保持装置であり、
該ステータコアの外周縁部が挿入保持される該ステータコアの外周面と対向する所定幅を持つ断面弧状の底面と該底面より立ち上がり該ステータコアのそれぞれの軸方向側面の周縁部と対向する２個の側壁面とで形成される孤状の保持溝をもつ少なくとも２個の弧状基部と、
１個の該弧状基部の周方向の一端と他の該弧状基部の他端とを少なくともそれぞれの該保持溝が遠ざかる方向に開閉可能に接続しそれぞれの該保持溝が周方向に並び該ステータコアの外周縁部を保持する筒状の保持溝を形成する接続手段と、
接続された該弧状基部の両端部を開閉する開閉手段と、
を有することを特徴とするステータ保持装置。
【請求項２】
前記保持溝を区画する前記底面の前記側壁面に近い両端側部分はそれらより中央側の部分に比較し内周径の大きい深底面となり該保持底は前記ステータコアの外周面の軸方向両端側部分と当接不可とされている請求項１記載のステータ保持装置。
【請求項３】
前記ステータコア薄板はその外周面側に突出し軸方向に挿通するボルト挿通用の開口を持つ少なくとも２個の突出部を有し、前記ステータコアは該突出部が軸方向に積層された少なくとも２個の突条を持ち、
前記弧状基部は該突条を収容する厚さ方向に延びる少なくとも２個の深溝を持つ請求項１記載のステータ保持装置。
【請求項４】
前記深溝の１つは前記接続手段で接続された隣接する２個の前記弧状基部の端部に形成されている請求項３記載のステータ保持装置。
【請求項５】
２個の前記弧状基部の端部に形成されている前記深溝を区画する溝面は、その深溝の延びる方向の両端側部分はその中央側の部分に比較して深い深溝面となり、該深溝の該深溝面は前記ステータコアの前記突条の外周面の軸方向両端側部分と当接不可とされている請求項４記載のステータ保持装置。
【請求項６】
前記弧状基部の少なくとも前記ステータコアと当接する部分は、合成樹脂で形成されている請求項１記載のステータ保持装置。
【請求項７】
リング状に閉じた前記弧状基部の互いに背向する部分には、互いに外周方向に突出する１組の係合ピンを持つ請求項１記載のステータ保持装置。
【請求項８】
１組の前記係合ピンは、前記ステータコアを保持した状態で重心を通る線と同軸位置となっている請求項７記載のステータ保持装置。
【請求項９】
１組の前記係合ピンは、前記弧状基部に着脱可能とされており、長さの異なる少なくとも２種類のピンが用意されている請求項７記載のステータ保持装置。
【請求項１０】
１組の前記係合ピンとそれぞれ係合する１組のフックを持つ昇降手段を備える請求項７記載のステータ保持装置。
【請求項１１】
１組の前記フックは、それぞれ曲折可能な懸架部材で懸架されている請求項１０記載のステータ保持装置。
【請求項１２】
前記懸架部材は、線状である請求項１１記載のステータ保持装置。
【発明の詳細な説明】
【技術分野】
【０００１】
本発明は、モータに使用されるステータコアのうち、複数枚積層されたステータコア薄板からなるステータコアを保持する保持装置に関する。
【背景技術】
【０００２】
一般に、モータは、ステータ（固定子）とロータ（回転子）の２つから構成される。モータは、ステータのステータコアに巻き付けられたコイルに与える電流を切り換えることにより回転磁界を発生し、この回転磁界によりロータを連れ回している。このコイルの性能を向上させるために、ステータコアとして透磁率の高い磁性材料を用いることで磁路を形成し、有効に回転磁界を発生させている。
【０００３】
さらに、鉄損を少なくするために、磁性材料の薄板を複数枚積層した構造をもつステータコアが用いられている。したがって、一般的なリング状のステータコアは積層構造を有し、複数枚の薄板を溶接などにより部分的に接合して形成されている。
【０００４】
生産時には、ステータコアにコイルを挿入後、作業者は、自力でステータを持ち上げて反転させてから、次の配索工程にステータコアを移動する。この移動・反転作業は、モータが大型化した昨今では、ステータコアも大型化し、困難である。
【０００５】
また、積層構造を有するステータコアは、移動や反転の際に、落下や衝撃によりステータコアの表面、特に外周面の軸方向の両端部は、薄板が剥がれる等、破損しやすい。さらに、ステータコアに巻き付けられたコイルは、その端部がステータコアより軸方向へ突出しており、特にコイルを補強する前ではコイル端部が変形したり、コイルの破損により絶縁不良が発生しやすい。そのため、ステータの移動・反転作業には注意を要する。したがって、ステータコアやコイルが他の部材に接触しないように取り扱える、ステータ保持装置が要求される。
【０００６】
ところで、ステータコアを保持する装置として、例えば、特許文献１に記載の回転支持装置がある。この回転支持装置は、ステータコアの外周に適合するように円弧状に配列された複数の受けローラと、回転駆動手段により回転する回転軸を有しステータコアの内周の溝に嵌合する回転ヘッドと、を有する。しかしながら、特許文献１の回転支持装置は、回転させながらコイルのレーシング等の作業することを目的としたものであって、ステータコアを移動・反転する際の保持を目的とした保持装置ではない。
【特許文献１】特開平９−７４７２３号公報
【発明の開示】
【発明が解決しようとする課題】
【０００７】
本発明は、ステータコアやコイルの損傷を防止することができるステータ保持装置を提供することを目的としている。また、ステータコアを容易に移動・反転できるステータ保持装置を提供することを目的とする。
【課題を解決するための手段】
【０００８】
本発明のステータ保持装置は、ステータコア薄板を複数枚積層して形成されたステータコアを持つステータの保持装置であり、該ステータコアの外周縁部が挿入保持される該ステータコアの外周面と対向する所定幅を持つ断面弧状の底面と該底面より立ち上がり該ステータコアのそれぞれの軸方向側面の周縁部と対向する２個の側壁面とで形成される孤状の保持溝をもつ少なくとも２個の弧状基部と、１個の該弧状基部の周方向の一端と他の該弧状基部の他端とを少なくともそれぞれの該保持溝が遠ざかる方向に開閉可能に接続しそれぞれの該保持溝が周方向に並び該ステータコアの外周縁部を保持する筒状の保持溝を形成する接続手段と、接続された該弧状基部の両端部を開閉する開閉手段と、を有することを特徴とする。
【０００９】
本発明のステータ保持装置において、前記保持溝を区画する前記底面の前記側壁面に近い両端側部分はそれらより中央側の部分に比較し内周径の大きい深底面となり該保持底は前記ステータコアの外周面の軸方向両端側部分と当接不可とされているのが好ましい。
【００１０】
そして、前記ステータコア薄板はその外周面側に突出し軸方向に挿通するボルト挿通用の開口を持つ少なくとも２個の突出部を有し、前記ステータコアは該突出部が軸方向に積層された少なくとも２個の突条を持ち、前記弧状基部は該突条を収容する厚さ方向に延びる少なくとも２個の深溝を持つのが好ましい。この際、前記深溝の１つは前記接続手段で接続された隣接する２個の前記弧状基部の端部に形成されているのが好ましい。さらに、２個の前記弧状基部の端部に形成されている前記深溝を区画する溝面は、その深溝の延びる方向の両端側部分はその中央側の部分に比較して深い深溝面となり、該深溝の該深溝面は前記ステータコアの前記突条の外周面の軸方向両端側部分と当接不可とされているのが好ましい。
【００１１】
また、前記弧状基部の少なくとも前記ステータコアと当接する部分は、合成樹脂で形成されているのが好ましい。
【００１２】
リング状に閉じた前記弧状基部の互いに背向する部分には、互いに外周方向に突出する１組の係合ピンを持つのが望ましい。この際、１組の前記係合ピンは、前記ステータコアを保持した状態で重心を通る線と同軸位置となっているのが望ましい。また、１組の前記係合ピンは、前記弧状基部に着脱可能とされており、長さの異なる少なくとも２種類のピンが用意されているのが望ましい。そして、１組の前記係合ピンとそれぞれ係合する１組のフックを持つ昇降手段を備えるのが望ましい。この際、１組の前記フックは、それぞれ曲折可能な懸架部材で懸架されているのが望ましい。さらに、前記懸架部材は、線状であるのが望ましい。
【発明の効果】
【００１３】
本発明のステータ保持装置によれば、ステータコアの外周縁部を保持溝に挿入保持することで、軸方向では保持溝の側壁面、径方向では保持溝の底面により、ステータコアの外周部を保持することができる。そのため、ステータコアの外周面を保護することができる。その結果、ステータコアに加えられる衝撃が減少し、ステータコアの損傷を防止できる。
【００１４】
さらに、本発明のステータ保持装置にステータコアを保持することにより、作業者が容易にステータの移動・反転作業を行うことができ、作業時間が短縮できる。また、ステータの移動・反転作業を容易に行えるため、移動・反転作業の際にステータコアの落下や衝突が少なくなり、ステータコアやコイルの損傷を防止できる。
【００１５】
また、ステータ保持具を、ステータコアの外周面の軸方向両端側部分と当接不可とすることにより、特にステータコア薄板が剥離しやすいステータコアの外周面の軸方向両端側部分の損傷を低減できる。
【発明を実施するための最良の形態】
【００１６】
本発明のステータ保持装置は、ステータコア薄板を複数枚積層して形成されたステータコアを持つステータの保持装置である。そして、本発明のステータ保持装置は、少なくとも２個の弧状基部と、弧状基部を接続する接続手段と、接続された弧状基部を開閉する開閉手段と、を有す。以下に、本発明のステータ保持装置の実施の形態を詳細に説明する。
【００１７】
なお、本発明のステータ保持装置において、保持されるステータは、ステータコア薄板を複数枚積層して形成されたステータコアをもつステータであれば特に限定はない。ステータコア薄板は、積層後、レーザによる溶着やカシメによる圧着など、通常の方法で結束されていればよい。ステータコア薄板は、内周側に多数のスロットを持つリング状であるのが好ましい。また、ステータコア薄板はその外周面側に突出し軸方向に挿通するボルト挿通用の開口を持つ少なくとも２個の突出部を有し、ステータコアは該突出部が軸方向に積層された少なくとも２個の突条を持つ形態であるのが好ましい。
【００１８】
本発明のステータ保持装置において、弧状基部は、ステータコアの外周面と対向する所定幅を持つ断面弧状の底面と、その底面より立ち上がりステータコアのそれぞれの軸方向側面の周縁部と対向する２個の側壁面と、で形成される孤状の保持溝をもつ。そして、この保持溝には、ステータコアの外周縁部が挿入保持される。
【００１９】
保持溝は、ステータコアの外周縁部が挿入できる形状であればよい。保持溝は、保持溝を区画する底面と、その底面より立ち上がる２個の側壁面と、からなる。底面はステータコアを外周方向側から保持するが、側壁面は軸方向側から保持する。
【００２０】
底面の形状に特に限定はないが、側壁面に近い底面の両端側部分に、中央側の部分よりも内周径の大きい深底面を有するのが好ましい。底面の両端側部分は、ステータを保持する際に、ステータコアの外周面の軸方向両端側部分と対向する。このステータコアの軸方向両端側部分は、中央側部分に比較して、積層されているステータコア薄板が少ないため、端側に曲がりやすく、破損しやすい部分である。そのため、底面に深底面を形成し、ステータコアの軸方向両端側部分と当接不可とすることにより、軸方向両端側部分の損傷を低減できる。深底面の形状に関しては、ステータコアの軸方向両端側部分と当接しない形状であれば、特に限定はない。
【００２１】
また、弧状基部の形状に関しては特に限定はないが、ステータコアの外周縁部が挿入保持される保持溝を有するものであれば、全体として、円筒形であるのが好ましい。
【００２２】
本発明のステータ保持装置において、接続手段は、１個の弧状基部の周方向の一端と、他の弧状基部の他端と、を少なくともそれぞれの保持溝が遠ざかる方向に開閉可能に接続し、それぞれの保持溝が周方向に並び該ステータコアの外周縁部を保持する筒状の保持溝を形成する。
【００２３】
接続手段の形態に特に限定はないが、保持溝が遠ざかる／近づく方向に開／閉可能な、ヒンジ機構からなるのが好ましい。たとえば、２つの弧状基部の端部を軸支したり、別部材の蝶番を用いることにより開閉可能としてもよい。なお、本発明のステータ保持装置は２個以上の弧状基部からなるため、たとえば、３個の弧状基部からなる場合には、１つの弧状基部の両端部に他の２つの弧状基部の端部を接続するための２個の接続手段が必要となる。なお、他の２つの弧状基部の残りの端部は、開閉手段により開閉可能に接続される。
【００２４】
また、ステータコアが前述したような突条を少なくとも２個有する形状であれば、弧状基部は突条を収容する厚さ方向に延びる深溝を有するのが好ましい。深溝は、ステータコアの突条と当接しないように形成されるとよいが、深溝の１つは、接続手段で接続された隣接する２個の弧状基部の端部に形成されているのが好ましい。この際、突条が深溝に狭持されるように深溝を形成すると、ステータ装置にステータを保持する際に周方向の位置決めの役割を果たす。しかしながら、上述のように、本来、ステータコアの突条は、リング状の本体部から突出しており、本体部よりも破損しやすいため、ステータ保持装置と当接しない方がよい。そのため、深溝を区画する溝面は、その深溝の延びる方向の両端側部分はその中央側の部分に比較して深い深溝面となり、深溝面はステータコアの突条の外周面の軸方向両端側部分と当接不可とされているのが好ましい。
【００２５】
本発明のステータ保持装置において、開閉手段は、接続された弧状基部の両端部を開閉する。開閉手段は、接続された弧状基部の両端部に形成されていれば、その形成位置に特に限定はなく、弧状基部の外周面や軸方向側面の少なくとも一方に形成するとよい。開閉手段の形態は、各種留め金を強度に応じて選択すればよい。
【００２６】
また、閉状態とする際に、両端部にずれが生じるのを防止するために、両端部に位置決め手段を設けてもよい。たとえば、互いに嵌合または係合する凹部および凸部により厚さ方向および／または径方向の位置決めができる。
【００２７】
本発明のステータ保持装置において、少なくともステータコアと当接する部分は、ステータコアの材質よりも軟質な材料、たとえば合成樹脂などで形成されているのが好ましい。なお、接続手段および開閉手段は、ステータコアと当接しないように配置されていれば、その材質に特に限りはなく、金属製などであってもよい。
【００２８】
また、本発明のステータ保持装置は、係合手段を有するのが望ましい。たとえば、係合手段にハンドル等を係合することにより、作業者がステータを容易に移動することができる。また、リング状に閉じた弧状基部の互いに背向する部分に、互いに外周方向に突出する１組の係合ピンを持つのが望ましい。さらに、係合ピンが、ステータコアを保持した状態で重心を通る線と同軸位置となっていれば、係合ピンを支点として回転可能となり、ステータを容易に反転することができる。
【００２９】
係合ピンの形状に特に限定はなく、たとえば、先端に係合部を有する所定長さの棒状などが望ましい。そして、係合部の形状にも特に限定はない。また、係合ピンは、弧状基部に着脱可能であるのが望ましい。長さや形状の異なる各種の係合ピンを用意しておけば、用途に応じて付け替えることができる。たとえば、ステータコアのサイズ変更に伴い弧状基部の大きさが変更されたとしても、係合ピンの長さを適宜選択することにより、係合部の位置（たとえば、一方の係合部から他方の係合部までの長さ）を一定にすることができる。これにより、後述する昇降手段などの相手部材を変更することなく、汎用性を持たせることができる。また、棒状の係合ピンに複数の係合部を設けてもよく、相手部材に合わせて係合位置を変えることもできる。なお、反転・移動作業等を行わない収納時など、係合ピンが不要な場合には、係合ピンを外して使用すればよい。
【００３０】
本発明のステータ保持装置は、ステータの外周部が保持溝により保持されているので、ステータ保持装置の外周面や側面を下にして放置したり、または、ステータの外周面の中央側部分を支持する支持台に載せた状態で載置してもよいが、係合ピンとそれぞれ係合する１組のフックを持つ昇降手段を備えてもよい。この際、１組のフックは、それぞれ曲折可能な懸架部材で懸架されているのが望ましい。懸架部材が屈曲可能であれば、係合ピンとフックとを係合するのが容易となる。また、係合ピンとフックとを係合させた状態で、ステータ保持装置を開閉することも可能となる。懸架部材としては、ワイヤなどの線状であるのが望ましい。
【実施例】
【００３１】
以下に、本発明のステータ保持装置の実施例を図面を用いて説明する。
【００３２】
（実施例１）
本実施例のステータ保持装置は、図１に示すステータコア１を保持するものである。図１のステータコア１は、ケイ素鋼板製のステータコア薄板１０１を複数枚積層し、溶着により結束されている。
【００３３】
ステータコア薄板１０１は、リング状で、内周側に多数のスロット１１１を有する。また、ステータコア薄板１０１は、外周側に突出し開口１１５を有する３つの突出部１１３を等間隔に有する。
【００３４】
ステータコア１は、各スロット１１１が軸方向に積層され形成されたスロット部１１と、各突出部１１３および開口１１５が軸方向に積層され形成された突条１３およびボルト挿通孔１５を有する。突条１３は、ステータコア１の外周面１０より外周側に突出している。スロット部１１には、マグネットワイヤーの束であるコイルが挿入されている。なお、図には、説明のため、コイルは図示していないが、コイルの挿入状態は、一般的なステータと同様である。
【００３５】
ステータコア１を保持するステータ保持装置の平面図を図２に示す。そして、図２のＡ−Ａ’，Ｂ−Ｂ’，Ｃ−Ｃ’での断面図をそれぞれ図３，４，５に示す。また、図６は、本実施例のステータ保持装置の部分斜視図である。
【００３６】
本実施例のステータ保持装置は、同一の形状を有する２つの弧状基部２を有する。弧状基部２はナイロン製で、２つの弧状部材２２からなる。弧状部材２２は、それぞれ半円の円弧形状を有する。弧状部材２２は、断面弧状の底面２４と底面２４より立ち上がる側壁面２５と、からなるＬ字面を有する。また、底面２４の側壁面２５に近い両端側部分には、断面コ字形状の深底面２６を有する。
【００３７】
そして、弧状部材２２は、互いの側壁面２５が向かい合うように、後述する接続部３の接続基部３０、開閉部４の開閉基部４０および係合部５の係合基部５０を介して接続され、弧状基部２となる。この際、同一面上にある底面２４と、向かい合う２つの側壁面２５とで区画される断面コ字形状の保持溝２０が形成される。
【００３８】
弧状基部２は、保持溝２０が向かい合うように、周方向の一端を、互いに、接続部３および開閉部４により連結される。半円の円弧状である弧状部材２２からなる弧状基部２は、２つ連結されることにより円筒形となる。また、保持溝２０も筒状となる。つまり、２つの弧状基部２は全体として円筒形であって、その内周面に断面コ字形状の保持溝２０を有し、保持溝２０の底面２４には、軸方向の両端に保持溝２０よりも内周径の大きい深底面２６を有する。
【００３９】
また、弧状基部２は、その内周面側に厚さ方向（軸方向）に延びる深溝を有する。この深溝は、ステータコア１の３つの突条１３を収容する。３つの突条のうちの２つは、２つの弧状基部２のそれぞれに形成された深溝２１に収容される。深溝２１は、左右非対称で、突条１３の外形よりも大きな断面Ｕ字形状の溝面２１１を有する。また、他の深溝２９は、隣接する２つの弧状基部２の端部に形成される。深溝２９は、断面Ｕ字形状の溝面２９１を有し、深溝２９の延びる方向の両端部分は、他の部分よりも深い深溝面２９２となっている（図５，６）。深溝２９は、突条１３の突出分よりも十分深くなっている。なお、深溝２９の溝口は一部角が取り除かれており、斜面２９４となっている。
【００４０】
２つの弧状基部２の一端を開閉可能に連結する接続部３は、金属製の接続基部３０と蝶番部材３１とからなる。金属製ブロックからなる接続基部３０は、弧状部材２２の端部に挟み込まれており（図５）、両弧状部材２２側から軸方向に螺子３３で固定されている。なお、接続基部３０は、その端面が保持溝２０や深溝２９よりも外周側に配置される。また、接続基部３０には、弧状基部２の外周面側より蝶番部材３１が螺子３６により固定されている。
【００４１】
２つの弧状基部２の他端を開閉する開閉部４は、金属製の開閉基部４０と留め金４１とからなる。金属製ブロックからなる開閉基部４０は、弧状部材２２の端部に挟み込まれており、両弧状部材２２側から軸方向に螺子４３で固定されている。なお、開閉基部４０は、その端面が保持溝２０よりも外周側に配置される。また、開閉基部４０には、弧状基部２２の外周面側より留め金４１が固定されている。
【００４２】
また、本実施例のステータ保持装置は、後述するステータ昇降機６０のフックと係合する係合部５を有する。係合部５は、金属製の係合基部５０と係合ピン５１とからなる。金属製ブロックからなる係合基部５０は、弧状部材２２の周方向の中央部に挟み込まれており、両弧状部材２２側から軸方向に螺子５３で固定されている。なお、係合基部５０は、その端面が保持溝２０や深溝２１よりも外周側に配置される。また、係合基部５０は、その内径が係合ピンの外径とほぼ等しい貫通孔を有する。係合ピン５１は、棒状で、一端にフランジ５１１を、他端に周方向に凹んだ係合凹部５１２を有する。係合ピン５１は、係合凹部５１２側を、弧状基部２の内周面側から、係合基部５０の貫通孔に挿入する。そして、フランジ５１１と係合基部５０は、螺子５６により固定される。すなわち、係合ピン５１は、弧状基部２の外周面より外周側へ突出している。なお、係合部５は、弧状基部の互いに背向する部分に設けられ、係合ピン５１は、ステータ保持装置の重心を通る線と同軸位置に設けられる。
【００４３】
以下に、本実施例のステータ保持装置にステータを保持する手順について説明する。
【００４４】
ステータ保持装置は、開閉部４の留め金４１を解錠し、図６に一部が示されているように保持溝２０が互いに遠ざかる方向へと、接続部３の蝶番部材３１を支点として開くことにより、開状態とする。
【００４５】
次に、ステータコア１の３つの突条１３のうちの１つに、深溝２９の溝面２９１が当接するように、ステータ保持装置を配置する。この際、ステータコア１の外周面１０の軸方向両端側部分が、溝面２９１と当接しないように配置する。なお、深溝２９の溝口には、斜面２９４が形成されているため、深溝２９の溝口を突条に衝突させることなく、深溝２９に突条１３を容易に配置できる。
【００４６】
そして、蝶番部材３１を支点として、弧状基部２を保持溝２０が互いに近づく方向へと移動し、閉状態とする。この際、ステータコア１の外周面１０は、保持溝２０へと挿入される。最後に、留め金４１を施錠すれば、ステータコア１がステータ保持装置に保持される。
【００４７】
この状態において、ステータコア１の外周面１０の軸方向両端側部分は、保持溝２０の深底面２６、深溝２９の深溝面２９２により、ステータ保持装置と当接不可となっている。そして、深溝２１には、深溝２１の溝面２１１と当接しない状態で、ステータコア１の突条１３が位置する。また、金属製の接続基部３０、開閉基部４０、係合基部５０は、その端面が保持溝２０や深溝２１，２９よりも外周側に配置されているため、ステータコア１の外周面１０と接触することはない。さらに、深溝２１は、溝面２１１が開閉部４側の溝口が広くなった左右非対称の断面Ｕ字形状であるため、ステータ保持装置を開閉しても、ステータコア１の突条１３に衝突することはない。
【００４８】
なお、ステータ保持装置からステータを外す場合は、上記手順の逆を行う。
【００４９】
ステータが保持されたステータ保持装置は、図７に示すステータ昇降機６０により移動・反転が可能となる。ステータ昇降機６０は、任意の形状に配設されたバー６２を矢印方向（←→）に移動可能な構成となっている。バー６２はリング６３に挿入され、リング６３は軸方向に摺動可能である。リング６３には、伸縮自在の伸縮棒６４の一端が固定され、伸縮棒６４の他端は、軸中心に回転可能な連結部６５を介して支持棒６６の重心と連結される。支持棒６６の両端には、ワイヤ６１が固定されており、ワイヤ６１の一端には、係合ピン５１の係合凹部５１２と係合するフックが取り付けられている。
【００５０】
ステータが保持されたステータ保持装置は、その係合ピン５１によりステータ昇降機に係合される。係合ピン５１は、ステータ保持装置の重心を通る線と同軸位置に設けられているため、ステータを容易に反転することができる。また、反転したステータを上下方向に移動させたい場合は、ステータ昇降機６０の伸縮棒６４を伸縮させることにより、容易に移動することができる。さらに、リング６３をバー６２に沿って摺動させれば、バー６２の配設されている範囲で移動可能である。
【００５１】
なお、図７は、ステータ保持装置に保持されたステータを反転させ、下方に移動させる操作を模式的に示した図である。なお、反転したことが分かるように、図７にはコイルの端を記載した。
【００５２】
（実施例２）
本実施例のステータ保持装置は、実施例１のステータ保持装置の保持溝２０を図８に記載の保持溝２２０としたものである。
【００５３】
保持溝２２０は、断面弧状の底面２２４と底面２２４より立ち上がる側壁面２２５と、からなるＬ字面を有する。また、底面２２４の側壁面２２５にちかい両端側部分には、深底面２２６を有する。深底面２２６は、断面三角形状であり、底面２２４へと延びる面は、曲面となっている。
【００５４】
そして、同一面上にある底面２２４と、向かい合う２つの側壁面２２５とで区画される断面コ字形状の保持溝２２０が形成される。
【００５５】
（実施例３）
本実施例のステータ保持装置は、実施例１のステータ保持装置の開閉部４を図９に示す開閉部３４としたものである。そして、実施例１では、ステータ保持装置によりステータコア１を反転させて移動させていたが、本実施例では、ステータ保持装置によりステータコア１の軸方向が水平平面とほぼ平行（横向き）となるようにステータコア１を回転させて移動させる。移動後、本実施例のステータ保持装置は、図１０に記載のステータ支持台７０により、横向きで支持される。
【００５６】
開閉部３４は、弧状基部２の両側面にそれぞれ形成された２つの留め金３４１を有する。また、弧状基部２の弧状部材２２の端部で、開閉部材３４を閉状態とした場合に当接する部分には、互いに嵌合する凸部３２３および凹部３２４が形成されている。
【００５７】
そして、ステータ保持装置を閉状態とする場合は、先に凸部３２３および凹部３２４を嵌合させて、その後、留め金３４１を施錠する。ステータ保持装置を開状態とする場合は、逆の操作を行えばよい。
【００５８】
ステータ支持台７０は、台座部７１と、板状の２つの支持板７２と、からなる。支持板７２の一端は、台座部７１に互いに平行に固定される。支持板７２の他端は、その先端に、ステータコア１の外周面１０と同様の曲率の曲面を厚さ方向に有する。ステータ保持装置は、ステータコア１の外周面１０が支持板７２の曲面に当接するように、ステータ支持台７０に載置される。この際、係合部５が左右方向、接続部３が上側、開閉部３４が下側に位置するように載置される（図１０）。なお、ステータ保持装置の開閉操作は、ステータコア１が支持台７０に載置されたまま行ってもよい。
【００５９】
上記構成により、ステータ支持台７０が、支持板７２とステータコア１とが当接し、ステータコア１を横向きに支持する支持台であっても、開閉部３４が支持板７２に干渉することなく、ステータ保持装置を開閉することができる。
【図面の簡単な説明】
【００６０】
【図１】本発明のステータ保持装置の実施例に用いられるステータコアおよびステータコア薄板をしめす図である。
【図２】実施例１のステータ保持装置の平面図である。
【図３】実施例１のステータ保持装置の断面図であって、図２のＡ−Ａ’での断面図である。
【図４】実施例１のステータ保持装置の断面図であって、図２のＢ−Ｂ’での断面図である。
【図５】実施例１のステータ保持装置の断面図であって、図２のＣ−Ｃ’での断面図である。
【図６】実施例１のステータ保持装置であって、開状態とした場合の接続部の斜視図である。
【図７】実施例１のステータ保持装置であって、ステータ昇降機に装備した場合の模式図である。
【図８】実施例２のステータ保持装置の断面図である。
【図９】実施例３のステータ保持装置の平面図（上図）および側面図（下図）であって、開閉部の部分拡大図である。
【図１０】実施例３のステータ保持装置をステータ支持台に載置した場合の模式図であって、左図は正面図、右図は側面図である。
【符号の説明】
【００６１】
１：ステータコア
２：弧状基部
２０，２２０：保持溝
２４，２２４：底面
２５，２２５：側壁面
２６，２２６：深溝面
２１，２９：深溝
３：接続部（接続手段）
４，３４：開閉部（開閉手段）
５：係合部（係合手段）
５１：係合ピン
６０：ステータ昇降機
７０：ステータ支持台
【図１】
2005086951.tif 000003
【図２】
2005086951.tif 000004
【図３】
2005086951.tif 000005
【図４】
2005086951.tif 000006
【図５】
2005086951.tif 000007
【図６】
2005086951.tif 000008
【図７】
2005086951.tif 000009
【図８】
2005086951.tif 000010
【図９】
2005086951.tif 000011
【図１０】
2005086951.tif 000012